(57)【特許請求の範囲】
【請求項１】
本体の開口部を被うナイトカバーを備えたオープンショーケースにおいて、
前記ナイトカバーが捲回収納されると共に、端部が固定具により前記本体に固定された収納具と、
前記ナイトカバーの遊端にその幅方向に渡って取り付けられたカーテンエッジと、
該カーテンエッジの中央部に設けられた把手及び断面コ字状のフック部と、
前記開口部下縁に全幅に渡って取り付けられたハンドレールとを備え、
前記カーテンエッジは、少なくとも前記固定具が位置する範囲で削除されており、前記ナイトカバーが前記収納具内に巻き取られた状態で前記カーテンエッジは前記収納具の下辺上に格納され、前記把手が前記収納具外に位置すると共に、
前記ナイトカバーが引き出された状態では、前記収納具の下辺が前記ナイトカバーの内面に全幅に渡って接触して前記本体とナイトカバーとの間を閉塞し、前記フック部は、アンダーカット形状の前記ハンドレール下面前端部に嵌合することを特徴とするオープンショーケース。
【発明の詳細な説明】
【０００１】
【産業上の利用分野】
本発明は、店舗の閉店時に開口部を被うためのナイトカバーを備えたオープンショーケースに関するものである。
【０００２】
【従来の技術】
従来よりスーパーマーケットやコンビニエンスストアなどの店舗に設置されるオープンショーケースには、例えば実開昭６１−１５９７８３号公報（Ｆ２５Ｄ１１／００）に示される如く、ナイトカバーと称される引き出し自在のカバー（以下、ナイトカバーと称す。）が取り付けられており、商品の納出が行われない閉店時には、このナイトカバーを引き出して開口部を被うことにより、開口部からの無駄な冷気の流出を防止し、消費電力の削減を図ることをができるように構成されている。
【０００３】
図９に係る従来のオープンショーケース１００のナイトカバー１０１部分の拡大縦断側面図を示す。ナイトカバー１０１は通常織物にて構成されており、取付辺１０２Ａ、上辺１０２Ｂ、下辺１０２Ｃ及び両側端部取り付けられた保持辺１０２Ｄ、１０２Ｄから成る収納具１０２の、前記保持辺１０２Ｄ、１０２Ｄ間に渡って取り付けられたトーションバー１０３の周囲に捲回されて、常時巻き取られる方向に付勢されている。
【０００４】
この収納具１０２は、取付辺１０２Ａの両側端部をネジにより、オープンショーケース１００の前端上部に位置するキャノピー１０４に固定されており、図９の如く引き出されてオープンショーケース１００の前面開口部を閉じるものであった。
【０００５】
【発明が解決しようとする課題】
しかしながら、従来のオープンショーケース１００では引き出された状態のナイトカバー１０１と収納具１０２との間に隙間Ｇが生じ、この隙間Ｇはナイトカバー１０１を引き出して行ってロールの半径が小さくなるに従って更に大きくなる。そして、この隙間Ｇにおいて庫内と庫外が連通され、図中矢印で示す如く外気が庫内に侵入するため、オープンショーケース１００の負荷が大きくなって電力消費量が増大してしまう問題があった。
【０００６】
本発明は、係る従来の技術的課題を解決するために成されたものであり、ナイトカバーを引き出すことにより、本体の開口部からの外気侵入を確実に防止、若しくは、抑制することができるオープンショーケースを提供することを目的とする。
【０００７】
【課題を解決するための手段】
本発明のオープンショーケースは、本体の開口部を被うナイトカバーを備えたものであって、ナイトカバーが捲回収納されると共に、端部が固定具により本体に固定された収納具と、ナイトカバーの遊端にその幅方向に渡って取り付けられたカーテンエッジと、このカーテンエッジの中央部に設けられた把手及び断面コ字状のフック部と、開口部下縁に全幅に渡って取り付けられたハンドレールとを備え、カーテンエッジは、少なくとも固定具が位置する範囲で削除されており、ナイトカバーが収納具内に巻き取られた状態でカーテンエッジは収納具の下辺上に格納され、把手が収納具外に位置すると共に、ナイトカバーが引き出された状態では、収納具の下辺がナイトカバーの内面に全幅に渡って接触して本体とナイトカバーとの間を閉塞し、フック部は、アンダーカット形状のハンドレール下面前端部に嵌合するものである。
【０００８】
【作用】
本発明によれば、カーテンエッジは、収納具の端部を本体に固定するための固定具が位置する範囲で削除されており、ナイトカバーが収納具内に巻き取られた状態でカーテンエッジは収納具の下辺上に格納され、把手が収納具外に位置するので、ナイトカバーを巻き取った状態におけるオープンショーケースの外観を向上させることができる。
【０００９】
また、ナイトカバーが引き出された状態では、収納具の下辺がナイトカバーの内面に全幅に渡って接触して本体とナイトカバーとの間を閉塞するので、ナイトカバーを引き出して開口部を閉じた状態における、ナイトカバーと本体間からの外気侵入を有効に阻止することができる。従って、店舗の閉店時などにおけるオープンショーケースの負荷を軽減し、省エネルギーに寄与することが可能となる。更に、その状態で断面コ字状のフック部が、アンダーカット形状のハンドレール下面前端部に嵌合するので、フック部は安定的に保持されるものである。
【００１０】
【実施例】
以下、図面に基づき本発明の実施例を詳述する。図１は本発明の実施例のオープンショーケース１の斜視図、図２はオープンショーケース１の縦断側面図、図３はオープンショーケース１の開口部２１上端の拡大縦断側面図、図４は少許引き出された状態のナイトカバー４６の正面図、図５は同ナイトカバー４６の側面図である。
【００１１】
上記各図に示した実施例のオープンショーケース１は、例えばスーパーマーケットなどの店舗内に複数台据え付けられる冷蔵タイプの縦型オープンショーケースであり、断面略コ字状の断熱壁２と、この断熱壁２の両側に取り付けられる側板３、３とから本体５を構成されている。断熱壁２の内側にはそれぞれ間隔を存して外層仕切板４と内層仕切板６が取り付けられており、断熱壁２と外層仕切板４間が外層ダクト７、内外層仕切板６、４間が内層ダクト８とされ、内層仕切板６の内側が貯蔵室（庫内）９とされている。
【００１２】
この貯蔵室９内には複数段の棚１１・・が架設されると共に、貯蔵室９の底部にはデックパン１２が取り付けられ、このデックパン１２の下方は前記両ダクト７、８に連通した底部ダクト１３とされている。そして、この底部ダクト１３内には図示しない送風機を内蔵したファンケース１４が設置されると共に、内層ダクト８内には冷凍装置に含まれる冷却器１６が縦設されている。
【００１３】
断熱壁２と両側板３、３にて囲繞された貯蔵室９の前面開口部２１の上縁には外層吐出口２２と内層吐出口２３が前後に並設されており、外層吐出口２２は外層ダクト７に、内層吐出口２３は内層ダクト８にそれぞれ連通している。また、開口部２１の下縁には吸込口２４が形成され、前記底部ダクト１３に連通している。
【００１４】
そして、前記ファンケース１４内の送風機が運転されると、底部ダクト１３内の空気は後方の内外層ダクト７、８に向けて吹き出され、外層ダクト７においてはそのまま吹き上げられると共に、内層ダクト８においては冷却器１６と熱交換した後吹き上げられ、開口部２１上縁の内外層吐出口２２、２３から下縁の吸込口２４に向けてそれぞれ吹き出される。
【００１５】
これによって、貯蔵室９の開口部２１には内側の冷気エアーカーテンとそれを保護する外側のエアーカーテンとが形成され、開口部２１からの外気の侵入が阻止若しくは抑制されると共に、内側の冷気エアーカーテンの一部が貯蔵室９内に循環して貯蔵室９内は冷却される。そして、これらの冷気などは吸込口２４から底部ダクト１３に帰還し、送風機に再び吸い込まれることになる。
【００１６】
一方、断熱壁２の天壁２Ａ前端には内装パネルとしてのキャノピー（庇）２６が全幅に渡り、前方に突出して取り付けられており、このキャノピー２６の前壁２６Ａ内面、内層吐出口２３の内方及び各棚１１の下面には蛍光灯２７・・がそれぞれ取り付けられている。また、キャノピー２６の上側には間隔を存して外装パネル３６が長手方向に渡って取り付けられている。
【００１７】
他方、断熱壁２の開口部２１下縁を縁取る前壁２Ｂ上端にはハンドレール２８が全幅に渡って取り付けられ、このハンドレール２８の外面である下面前端部２８Ａはアンダーカット形状とされている。尚、３１、３２は前壁２Ｂ前面に取り付けられた上下化粧パネルであり、３３はバンパーである。また、側板３は所定の幅を有しており、その前面中央部には透視ガラス２９が嵌め込まれている。
【００１８】
そして、前記キャノピー２６の後壁２６Ｂ前面にはそれぞれ収納具３８に収納されたナイトカバー４６、４７（図３乃至図５ではナイトカバー４６のみ示す）が取り付けられている。前記収納具３８は、取付辺３８Ａ、上辺３８Ｂ、下辺３８Ｃ及び両側端部取り付けられた保持辺３８Ｄ、３８Ｄから成る。そして、下辺３８Ｃは上辺３８Ｂより前方に長く突出している。尚、下辺３８Ｃの前端は例えば図３に示す如く湾曲面としても良い。
【００１９】
前記各ナイトカバー４６、４７は所謂シングルアクション方式のもので、何れも織物から成る基材の一面若しくは両面に水蒸気を透過させ、且つ、低温（少なくとも後述する＋１３℃〜＋１６℃の温度）においても当該透過特性が維持されるフィルムをラミネートした素材にて構成されており、各収納具３８、３８の保持辺３８Ｄ、３８Ｄ間に取り付けられたトーションバー３９の周囲に捲回されて常時巻き取られる方向に付勢されている。また、収納具３８の下辺３８Ｃ前端はトーションバー３９と略同じかそれよりも前方に突出する。
【００２０】
そして、各収納具３８は取付辺３８Ａの両側端部を上下のネジ（固定具）４１・・・にてキャノピー２６の後壁２６Ｂに固定される。このとき、保持辺３８Ｄ、３８Ｄはネジ４１、４１により取付辺３８Ａに共締め固定され、ネジ４１・・・の頭は取付辺３８Ａより前方に突出している。また、ナイトカバー４６の収納具３８は向かって左側、ナイトカバー４７の収納具３８は右側に配置され、且つ、ナイトカバー４７の収納具３８はナイトカバー４６の収納具３８よりも前上方に位置するように配置される。
【００２１】
これによって、ナイトカバー４６は向かって左側、ナイトカバー４７は右側に配置され、且つ、ナイトカバー４７はナイトカバー４６よりも前上方に位置する。また、各ナイトカバー４６、４７の横幅の合計値は、実施例では断熱壁２と二枚の側板３、３の幅寸法よりも大きい寸法とされており、巻き取られた状態でそれらの隣接する一端部は断熱壁２の左右方向の中心よりも反対側まで突出し、それによって、両ナイトカバー４６、４７の隣接する側部は上下方向において重複している。更に、両保持具３８、３８の隣接する側部は上下方向で重複する構成とされている。
【００２２】
これらナイトカバー４６、４７の遊端（先端）内にはそれらを左右に張る硬質樹脂製の薄肉平板状スペーサ４２がその略全幅に渡って内蔵されている。同じく遊端の外側には硬質樹脂製のカーテンエッジ４３が幅方向に渡って取り付けられている。
このカーテンエッジ４３は図４の如くナイトカバー４６（４７）の全幅よりも短くされており、それによって少なくともネジ４１・・・が位置する範囲において、ナイトカバー４６、４７の両側端はカーテンエッジ４３が削除されたかたちとされている（即ち、カーテンエッジ４３は存在しない）。また、カーテンエッジ４３の中央部には取付具５１により把手４４が取り付けられていると共に、取付具５１の内側には断面コ字状のフック部４５が形成されている。
【００２３】
以上の構成で、店舗が開店しているとき、或いは、従業員が商品の補充などを行う際には、両ナイトカバー４６、４７を収納具３８、３８内に巻き取って置く。この場合、図６に示す如く収納具３８の両側端部のネジ４１・・・が存在する範囲には前述の如くカーテンエッジ４３が存在していないので、これらがネジ４１の頭と干渉することは無く、カーテンエッジ４３は下辺３８Ｃ上に図７に示す如く格納され、把手４４のみが収納具３８外に吊り下げられるかたちとなる。
【００２４】
ここで、図１０に示すナイトカバー４６Ａ（図４乃至図７と比較するため、ナイトカバーの全ての部品にＡを付加して示す）の如く、カーテンエッジ４３Ａがナイトカバー４６Ａの全幅に存在していると、ナイトカバー４６Ａを巻き取った際にネジ４１・・・とカーテンエッジ４３Ａとが干渉し、カーテンエッジ４３Ａが収納具３８の奥まで進入できなくなる。
【００２５】
そのため、図１１及び図１２の如くカーテンエッジ４３Ａの前部が収納具３８外に露出するかたちとなって見苦しくなるが、本発明では前述の如くナイトカバー４６（４７）がカーテンエッジ４３部分まで円滑に収納具３８内に収納されるので、ナイトカバー４６（４７）を巻き取った状態におけるオープンショーケース１の外観を向上させることができるようになる。
【００２６】
次に、店舗の閉店時には各ナイトカバー４６、４７の把手４４、４４を持って両ナイトカバー４６、４７を引き出し、フック部４５をハンドレール２８の下面前端部２８Ａに嵌合させる。この場合、収納具３８の下辺３８Ｃは前方に延在しているので、下辺３８Ｃの前端は各ナイトカバー４６、４７の内面に全幅に渡って接触する。
【００２７】
これによって、ナイトカバー４６、４７とキャノピー２６の後壁２６Ｂ（本体５）の間は収納具３８の下辺３８Ｃと取付辺３８Ａによって閉塞される。即ち、収納具３８がナイトカバー４６、４７の近傍に位置する閉塞部材の役割を果たす。従って、ナイトカバー４６、４７を引き出して開口部２１を閉じた状態における、ナイトカバー４６、４７と後壁２６Ｂ（本体５）間からの外気侵入を阻止することができるようになる。
【００２８】
尚、図３の如く収納具３８の下辺３８Ｃ前端を湾曲させて置けば、ナイトカバー４６、４７の磨耗も有効に防止若しくは抑制することが可能となる。
一方、フック部４５はコ字状に屈曲されているので、ハンドレール２８の下面前端部２８Ａに安定的に保持される。尚、このフック部４５には磁石を設けてハンドレールに吸着させても良い。また、この状態でナイトカバー４６、４７の遊端（先端）部はハンドレール２８の上面にその外側（外面）まで密着することになるので、ナイトカバー４６、４７とハンドレール２８間の隙間は塞がれる。従って、ハンドレール２８とナイトカバー４６、４７間からの外気の侵入と冷気の漏出は阻止される。
【００２９】
また、前述の如く各ナイトカバー４６、４７の隣接する側部は巻き取られた状態で上下方向において重複しているので、引き出された状態のナイトカバー４６、４７の前記側部は重なり合う（ナイトカバー４７が前側）。従って、両ナイトカバー４６、４７間の隙間は塞がれ、開口部２１からの冷気の漏出は防止される。この場合、両ナイトカバー４６、４７が重複する範囲においてはカーテンエッジ４３が削除されているので、両ナイトカバー４６、４７は支障無く重複することができる。
【００３０】
特に、スペーサ４２はナイトカバー４６、４７の略全幅に渡っているので、カーテンエッジ４３が存在しない範囲においてもナイトカバー４６、４７の張りを保つことが可能となり、ナイトカバー４６、４７の操作性の悪化を防止できると共に、前記重複部分における隙間解消効果を一層向上させることができる。
ここで、エアーカーテンによりナイトカバー４６、４７の表面は＋１３℃〜＋１６℃の温度に低下するが（貯蔵室９内の温度が０℃〜＋５℃、外気温＋２５℃でナイトカバー４６、４７の表面温度は＋１３℃〜＋１６℃程になる）、ナイトカバー４６、４７は係る低温においても水蒸気を透過させるので、例えば特公昭４２−２５５８６号公報に示される如き孔を穿設すること無く、ナイトカバー４６、４７内面への結露は防止される。従って、係る孔からの冷気漏れも解消できる。
【００３１】
また、係るナイトカバー４６、４７への結露が防止されることにより、前述の如くハンドレール２８の外側までナイトカバー４６、４７が被っても、結露によってオープンショーケース１周囲が汚損されることが無くなる。
尚、上記実施例では収納具３８をキャノピー２６の後壁２６Ｂに直接固定したが、それに限らず、図８に示す如くキャノピー２６の天壁２６Ｃの下面に取り付けられた断面略コ字状の固定金具６１に収納具３８を固定しても良い。
【００３２】
その場合、固定金具６１は上面が天壁２６Ｃに固定された取付辺６１Ａと、後辺６１Ｂ及び下辺６１Ｃから成り、収納具３８の取付辺３８Ａが取付辺６１Ａの下面に固定されることになる。そして、下辺６１Ｃ前端はトーションバー３９と略同じかそれよりも前方に突出するようにし、ナイトカバー４６（４７）が引き出されたときにはこの固定金具６１の下辺６１Ｃ前端がナイトカバー４６（４７）の内面全幅に接触するようにする。これによって、ナイトカバー４６、４７と後壁２６Ｂ（本体５）間は固定金具６１によって閉塞される。即ち、この場合は固定金具６１が閉塞部材の役目を果たすことになる。
【００３３】
また、実施例ではネジ４１にて収納具３８を固定したが、釘その他の固定具を用いても本発明は有効である。
【００３４】
【発明の効果】
以上詳述した如く本発明によれば、カーテンエッジは、収納具の端部を本体に固定するための固定具が位置する範囲で削除されており、ナイトカバーが収納具内に巻き取られた状態でカーテンエッジは収納具の下辺上に格納され、把手が収納具外に位置するので、ナイトカバーを巻き取った状態におけるオープンショーケースの外観を向上させることができる。
【００３５】
また、ナイトカバーが引き出された状態では、収納具の下辺がナイトカバーの内面に全幅に渡って接触して本体とナイトカバーとの間を閉塞するので、ナイトカバーを引き出して開口部を閉じた状態における、ナイトカバーと本体間からの外気侵入を有効に阻止することができる。従って、店舗の閉店時などにおけるオープンショーケースの負荷を軽減し、省エネルギーに寄与することが可能となる。更に、その状態で断面コ字状のフック部が、アンダーカット形状のハンドレール下面前端部に嵌合するので、フック部は安定的に保持されるものである。
【図面の簡単な説明】
【図１】本発明の実施例のオープンショーケースの斜視図である。
【図２】本発明の実施例のオープンショーケースの縦断側面図である。
【図３】本発明の実施例のオープンショーケースの開口部上端の拡大縦断側面図である。
【図４】本発明の実施例のオープンショーケースに取り付けられたナイトカバーを少許引き出した状態の正面図である。
【図５】図４のナイトカバーの側面図である。
【図６】収納具とカーテンエッジの関係を示す斜視図である。
【図７】ナイトカバーを巻き取った状態の側面図である。
【図８】本発明の他の実施例のオープンショーケースの開口部上端の拡大縦断側面図である。
【図９】従来のオープンショーケースの開口部上端の拡大縦断側面図である。
【図１０】従来のナイトカバーを少許引き出した状態の正面図である。
【図１１】従来の収納具とカーテンエッジの関係を示す斜視図である。
【図１２】従来のナイトカバーを巻き取った状態の側面図である。
【符号の説明】
１  オープンショーケース
５  本体
２１  開口部
２６  キャノピー
３８  収納具
４１  ネジ（固定具）
４２  スペーサ
４３  カーテンエッジ
４６、４７  ナイトカバー
【図１】
0003540434.tif 000002
【図２】
0003540434.tif 000003
【図３】
0003540434.tif 000004
【図４】
0003540434.tif 000005
【図５】
0003540434.tif 000006
【図６】
0003540434.tif 000007
【図７】
0003540434.tif 000008
【図８】
0003540434.tif 000009
【図９】
0003540434.tif 000010
【図１０】
0003540434.tif 000011
【図１１】
0003540434.tif 000012
【図１２】
0003540434.tif 000013